(57)【要約】【課題】カバーの取付け位置の調整により衛生陶器の寸法誤差を吸収でき、確実に固定できる衛生陶器のカバー固定構造を提供する。【解決手段】衛生陶器１の側面に形成された凹部２を隠蔽するカバー１８の固定構造であって、凹部２内には固定用部材１０，１３が配置され、カバー１８は、凹部２を覆蓋し得る化粧壁面部１９と、化粧壁面部１９の下方から凹部２内に向かって延出された底面部２０を備えて構成され、底面部２０には、衛生陶器固定用部材１３に下向きに固定される螺子部材１５が挿通する開口が設けられ、螺子部材１５の下端側からナット１７を締め付けて、ナット１７でカバー１８の底面部２０を上方へ押圧することによって、カバー１８を凹部２に固定する。また、カバー１８には固定用部材１０に係止される引っ掛け部２２が備えられている。【選択図】図２０
2010007257.tif 000002
【特許請求の範囲】
【請求項１】
衛生陶器の側面に形成された凹部を隠蔽するカバーの固定構造であって、
前記凹部内には衛生陶器固定用部材が配置されているとともに、
前記カバーは、前記凹部を覆蓋し得る化粧壁面部と、該化粧壁面部の下方から前記凹部内側に向かって延出された底面部を備えて構成され、
該カバーの前記底面部には、前記衛生陶器固定用部材に下向きに固定される螺子部材が挿通する開口が設けられ、
該螺子部材に下端側からナットを締め付けて該ナットで前記カバーの底面部を上方へ押圧することによって該カバーを前記凹部に固定する
ことを特徴とする衛生陶器のカバー固定構造。
【請求項２】
前記カバーには、前記化粧壁面部から前記凹部内側へ向かって延出された引っ掛け部が備えられ、
該引っ掛け部が前記衛生陶器固定用部材に係止される
ことを特徴とする請求項１に記載の衛生陶器のカバー固定構造。
【請求項３】
前記引っ掛け部は、化粧壁面部裏側から前記凹部内側へ向かって斜め上方に延びる壁形状に形成されている請求項２に記載の衛生陶器のカバー固定構造。
【請求項４】
前記カバーには、前記化粧壁面部の上端から前記凹部内側へ向かって延出された天面部が備えられていることを特徴とする請求項１または請求項２または請求項３に記載の衛生陶器のカバー固定構造。
【請求項５】
前記カバーの化粧壁面部は上下方向に湾曲した形状に形成されている請求項１または請求項２または請求項３または請求項４に記載の衛生陶器のカバー固定構造。
【請求項６】
前記凹部は奥側へ向かって縮径する形状に形成されている請求項１または請求項２または請求項３または請求項４または請求項５に記載の衛生陶器のカバー固定構造。
【発明の詳細な説明】
【技術分野】
【０００１】
本発明は、大便器，小便器，洗面器，流し等の衛生陶器の側面に形成された凹部を隠蔽するカバーの固定構造に関するものである。
【背景技術】
【０００２】
従来、この種の便器へのカバー体の取付け構造として、例えば特許文献１に開示されているような構造がある。
この構造では、カバー体上部の引っ掛け部を便器に引っ掛けるとともに、カバー体の裏面に配置された水平の棒状係合部を、便器側の前方および両端側が開放された係止部に、前方開放部より押し込んで嵌合させ、便器本体に対してカバー体の水平左右方向位置を調整できるものとしている。
【特許文献１】特開２００６−３２８７２５号公報
【発明の開示】
【発明が解決しようとする課題】
【０００３】
上記特許文献１に開示されているようなカバー体の取付け構造では、カバー体上部の引っ掛け部で便器に引っ掛け、下側の水平方向に延びる棒状係合部を嵌め込むことによりカバーを固定しているが、カバー体の取付け強度が不十分で、カバー体の脱落が生じやすいという問題点があった。
なお、従来、マジックテープ（登録商標）の面ファスナーを用いてカバーを取り付ける構造も存在するが、固定強度の持続性が悪く、繰り返しの着脱に弱く、また、カバーの取付け位置を調整しにくいため、陶器の寸法のバラつきで隙間が生じやすいという問題点があった。
また、従来の嵌め込みタイプの場合には、位置調整が困難なため取付け品位の維持が難しく、取付け部の劣化により取付け強度，取付け品位が低下する虞があった。さらに、これらのものは使用者でも簡単に取り外せるものであり、パブリックトイレでは盗難されたり、取り外されたりする虞もあった。
【課題を解決するための手段】
【０００４】
本発明は、安定した固定強度を保持しつつカバーの取付け位置が調整しやすく、衛生陶器の凹部をすっきりとした状態で隠蔽できるカバーの固定構造を提供することを目的とし、この目的を達成するために以下の手段を採った。
本発明は、衛生陶器の側面に形成された凹部を隠蔽するカバーの固定構造であって、前記凹部内には衛生陶器固定用部材が配置されているとともに、前記カバーは、前記凹部を覆蓋し得る化粧壁面部と、該化粧壁面部の下方から前記凹部内側に向かって延出された底面部を備えて構成され、該カバーの前記底面部には、前記衛生陶器固定用部材に下向きに固定される螺子部材が挿通する開口が設けられ、該螺子部材に下端側からナットを締め付けて該ナットで前記カバーの底面部を上方へ押圧することによって該カバーを前記凹部に固定することを要旨とする。
【発明の効果】
【０００５】
衛生陶器の凹部内に配置されている固定用部材を利用し、この固定用部材に螺子部材を下向きに固定して、カバーの底面部の開口から螺子部材を下方へ突出させ、螺子部材の下端側からナットを締め付けることで、カバーの底面部を上方へ押圧して、カバーを衛生陶器の凹部内に強固に固定することができ、カバーの化粧壁面部で良好に衛生陶器の凹部を覆蓋して隠蔽させることができるものとなる。
【０００６】
また、本発明の衛生陶器のカバー固定構造において、前記カバーには、前記化粧壁面部から前記凹部内側へ向かって延出された引っ掛け部が備えられ、該引っ掛け部が前記衛生陶器固定用部材に係止される構成とすることもできる。
こうすれば、引っ掛け部を凹部内の固定部材に係止させて、より強固なカバーの固定構造が得られるものとなる。また、カバーが凹部外側へずれることを防止することができる。
【０００７】
また、本発明の衛生陶器のカバー固定構造において、前記引っ掛け部は、化粧壁面部裏側から前記凹部内側へ向かって斜め上方に延びる壁形状に形成されているものとすることもできる。
こうすれば、カバーの上端側を凹部の天井面に当接状態となるように下方側から上方へ向かってカバーを凹部に取り付ける際に、引っ掛け部が案内される形となり、良好に引っ掛け部が凹部内の固定用部材に係止され、カバーの化粧壁面部が凹部の外側へずれにくくなり、螺子部材の下端側からナットを締め付けて強固に凹部にカバーを固定できるものとなるとともに、取り付け位置をきれいに合わせられる。
【０００８】
また、本発明の衛生陶器のカバー固定構造において、前記カバーには、前記化粧壁面部の上端から前記凹部内側へ向かって延出された天面部が備えられている構成とすることもできる。
こうすれば、カバーの上端の天面部が凹部の天井面に当接して、カバーのずれ上がりを無くすることができ、下方からナットを締め付けても、カバーの上端が凹部の外側へずれることがない。
【０００９】
また、本発明の衛生陶器のカバー固定構造において、前記カバーの化粧壁面部は上下方向に湾曲した形状に形成されているものとすることもできる。
こうすれば、ナットを下方から締め付けた時に、化粧壁面部は外側に向かって湾曲し、凹部内にカバーが嵌まり込むことがなく、カバーの化粧壁面部を衛生陶器の側面の曲面に合わせてすっきりとして固定することができる。
【００１０】
また、本発明の衛生陶器のカバー固定構造において、前記凹部は奥側へ向かって縮径する形状に形成されているものとすることもできる。
こうすれば、凹部に外側からカバーを固定するに際し、下方からナットを締め付けるとカバーは凹部の内側に向かって押し込まれるが、凹部は奥側へ向かって縮径しているため、より強固にカバーが凹部内に固定されることとなる。
【発明を実施するための最良の形態】
【００１１】
次に、本発明を実施するための最良の形態を実施例を用いて説明する。
実施例では、衛生陶器の１つである便器におけるカバーの固定構造について説明する。
【００１２】
まず図１において、便器の取付け構造を説明する。
便器１は、天井面が開放された鉢部１ａの背側に背面部１ｂが形成されており、この背面部１ｂ側の左右両側面にそれぞれ凹み状に凹部２，２が形成されている。
便器１は壁パネル３に壁掛け式で取り付けられるものであり、左右一対の上ボルト４，４と、その下方の左右一対の下ボルト５，５が、壁パネル３側から室内側へ水平に突出されており、また、壁パネル３には、便器１の排水口が接続される排水部材６が設けられている。また、便器１へ給水する給水管７が壁パネル３の裏側に配管されている。
なお、図中３ａは、壁パネル３に形成された作業口であり、３ｂは、壁パネル３の裏側の補強用の角パイプフレームである。
【００１３】
この壁パネル３の裏側には、図２に示すような便器スタンド８が配置されている。
便器スタンド８は、床面に固定される底ベース８ａ上に左右一対の縦フレーム８ｂ，８ｂが立設されており、左右の縦フレーム８ｂ，８ｂには、上下方向に長い長孔８ｃ，８ｃがそれぞれ形成されている。この各長孔８ｃ，８ｃ内に上ボルト４，４が差し込まれて固定されており、その下方に前記左右一対の下ボルト５，５が固定されている。
このような便器スタンド８は壁パネル３の裏側に配置されて、前述した左右一対の上ボルト４，４と左右一対の下ボルト５，５が壁パネル３を貫通して室内側へ突出されている。
【００１４】
便器１の背面部１ｂには、左右一対の上貫通孔１ｃ，１ｃおよびその下方に左右一対の下貫通孔１ｄ，１ｄが前後に貫通して形成されており、この上貫通孔１ｃ，１ｃ内に上ボルト４，４が挿入され、また、下貫通孔１ｄ，１ｄには下ボルト５，５がそれぞれ挿入されるものであり、便器１の左右側面に形成されている凹部２，２内にそれぞれ上ボルト４，４および下ボルト５，５の先端が配置されるものである。
【００１５】
通常は、この左右の各凹部２，２内に配置された上ボルト４，４および下ボルト５，５の先端に対し、凹部２，２内でそれぞれ袋ナットを締め付けることで便器１が壁パネル３に固定されるのであるが、本例では、各凹部２，２内に配置された上ボルト４，４および下ボルト５，５の先端に対し、袋ナットに代えて固定用上ボルト１０と固定用下ボルト１３がそれぞれ連結される。
【００１６】
固定用上ボルト１０は図３に示すように、外周に雄ネジを形成したボルト部１０ａの先端に溶接等でナット部１０ｂが一体化されたものである。また、固定用下ボルト１３は図４に示すように、外周に雄ネジを有するボルト部１３ａの先端に溶接等でナット部１３ｂが一体化されたものである。
即ち、固定用上ボルト１０のナット部１０ｂが、凹部２内に突入した上ボルト４の先端に締め付け固定されるものであり、また、凹部２内に突入した下ボルト５の先端に固定用下ボルト１３のナット部１３ｂを締め付けて、各凹部２内に固定用上ボルト１０と固定用下ボルト１３が配置されるものである。
【００１７】
なお、上ボルト４に対しナット部１０ｂを締め付ける際に、異形パッキン１１とワッシャー１２が介装される。また、固定用下ボルト１３のナット部１３ｂを下ボルト５に締め付ける際にもワッシャー１２が介装されて締め付けられる。また、壁面３側にはワッシャー９，９が介在され、さらに便器の背面部１ｂの裏側にはパッキン１６，１６が介在され、固定用上ボルト１０および固定用下ボルト１３をそれぞれ凹部２内で上ボルト４および下ボルト５に締め付けることで、便器１は壁パネル３に固定されるものである。
【００１８】
この便器の左右側面の凹部２，２には、それぞれ凹部２，２を隠蔽させるためにカバー１８が取付け固定されるが、カバー１８を取付け固定させるために、図５に示すようなカバー用ボルト１５と、図６に示す樹脂製のナット１７が用いられる。
カバー用ボルト１５は、外周に雄ネジを形成したボルト部１５ａの先端に、リング状のリング部１５ｂが一体化されたものである。また、ナット１７は、カバー用ボルト１５のボルト部１５ａに螺合する雌ネジを有する雌ネジ孔１７ａを中央部に備え、指を当てて締め付けることのできる突条１７ｂが形成されたものである。
【００１９】
次に、凹部２に取り付けられるカバー１８は、図７の斜視図，図８の正面図，図９の正面透視図，図１０の側面図，図１１の底面部図で示すような形状に形成されている。
なお、この図７〜図１１に示すカバー１８は、図１における便器１の右側面に形成された凹部２を隠蔽させるためのものであり、図示左側の凹部２を隠蔽させるためのカバーは対称形状をなすものであるため、右側のカバー１８について説明し、左側のカバーについては説明を省略する。
【００２０】
カバー１８は、上下方向に湾曲した形状の化粧壁面部１９と、この化粧壁面部１９の下端側に凹部２の内側へ向かって延出する底面部２０が一体形成され、また、化粧壁面部１９の上端には、凹部２の内側へ向かって延出する天面部２１が一体形成されている。
また、化粧壁面部１９の裏側には、下端側が化粧壁面部１９の裏側に当接し、上端側が凹部２の内側へ向かって上傾する壁板状の引っ掛け部２２が設けられており、この引っ掛け部２２の側端および下端には、図９に示すように、Ｌ字状の連結片２２ａが連結され、連結片２２ａを介して引っ掛け部２２は化粧壁面部１９の裏側に一体化されている。
【００２１】
また、化粧壁面部１９と底面部２０を繋ぐ部分の裏側には、間隔をおいて複数の補強リブ２３，２３，２３が一体化されている。また、底面部２０には、上下に貫通して前後方向に長い長方形状の開口２０ａが形成されており、この開口２０ａの中央部には、連通状に外側へ拡径した誘導溝２０ｂが形成されている。
なお、化粧壁面部１９は上下方向に湾曲されているが、この湾曲は、例えば半径３８７ｍｍ程度の湾曲となっており、取り付けた時に便器側面の曲面形状とほぼ同じとなる。また、化粧壁面部１９は後縁側が略垂直な垂直片１９ａとなっており、対向する前縁側は底面部２０側から天面部２１に向かって徐々に縮径状に湾曲した上傾片１９ｂとなっている。
【００２２】
なお、図１８は、左側のカバー１８を左側の凹部２に固定した状態の外観図であり、図１９は、左側の凹部２内の固定用上ボルト１０および固定用下ボルト１３などの配置状態を示す透視図である。また、図２０は、それぞれ左右のカバー１８，１８を取付け固定した便器の前面側からの凹部２内の配置構成図である。
なお、便器１の各凹部２の形状も工夫されており、凹部２は図１８に示すように、背面部１ｂ側は略垂直な背側垂直面２ｄとなっており、対向する凹部２の前面は、カバー１８の上傾片１９ｂと同様に上方へ向かって徐々に湾曲状に縮径した前側傾斜面２ｅとなっている。また、図２０に示すように、凹部２の天井面２ａは略水平状であり、天井面２ａの奥側に縦方向に奥面２ｃが形成されており、奥面２ｃから外側に向かって下傾状に下傾斜面２ｂが形成されている。
即ち、各凹部２の内部は、下方から上方に向かって寸法が狭くなり、外側から奥側に向かっても寸法が狭くなるような形状に形成されている。
【００２３】
このような構造において、凹部２へのカバー１８の取付け手順を図１２〜図１７において説明する。
図１２に要部斜視図で示すように、凹部２内には固定用上ボルト１０と固定用下ボルト１３が配置されている。即ち前述したように、便器１の背面部１ｂに貫通された上ボルト４と下ボルト５に、それぞれ固定用上ボルト１０のナット部１０ｂを異形パッキン１１とワッシャー１２を介在させて締め付け、固定用上ボルト１０が上ボルト４と同軸状に延長されて凹部２内に配置されており、同様に、下ボルト５の先端にナット部１３ｂをワッシャー１２を介在させて締め付け、固定用下ボルト１３が下ボルト５と同軸状に延長された状態で凹部２内に配置されている。このように、固定用上ボルト１０と固定用下ボルト１３により延長しているが、便器１の壁パネル３への固定は上ボルト４と下ボルト５だけで行うため、取り付け面となる壁パネル３の厚みの違いにも十分対応できるものとなる。
【００２４】
この状態で図１２に示すように、固定用下ボルト１３の外周に先端側からゴムチューブ１４を被せる。ゴムチューブ１４を被せた状態で、図１３に示すように、カバー用ボルト１５のリング部１５ｂをゴムチューブ１４の外周に嵌め込んでゆき、固定用下ボルト１３にカバー用ボルト１５をゴムチューブ１４を介在させて連結させ、カバー用ボルト１５のボルト部１５ａを下向きにしておく。
この状態でカバー１８の天面部２１を凹部２の天井面２ａに当接状として、固定用上ボルト１０の奥側にカバーの引っ掛け部２２を引っ掛け状にし、この状態でカバー１８の底面部２０を凹部２内に回転状に差し込んでゆく。この時に、誘導溝２０ｂ内にカバー用ボルト１５のボルト部１５ａが通り、カバー用ボルト１５のボルト部１５ａが開口２０ａ内に入り込むこととなる。
【００２５】
カバー１８の底面部２０側を図１５のように凹部２内に嵌め込んだ状態で、カバー１８の化粧壁面部１９の上端側と便器１間に仮止め用テープ２５を貼着して、カバー１８の上端を便器１に仮止めする。
この状態で、開口２０ａから下方へ突出しているカバー用ボルト１５のボルト部１５ａに対し、下側から図１６のようにナット１７を螺合させ、手の指をナット１７の突条１７ｂに掛けて手でナット１７を図１７のように締め付けてゆく。この時に、前後方向に長い開口２０ａを介してカバー１８の前後位置を調整しながらナット１７を手で締め付けてゆく。凹部２内に良好にカバー１８が固定された後には、仮止め用テープ２５を剥がしてカバー１８の取付け固定作業を終了する。
【００２６】
なお、ナット１７をカバー用ボルト１５に締め付けてゆくと、図２０に示すように、引っ掛け部２２には上方側への押し上げ力が作用することで、引っ掛け部２２は強固に固定用上ボルト１０に当接状態となり、カバー１８の化粧壁面部１９が外側へずれることがない。また、カバーの天面部２１は凹部の天井面２ａに当接するため、カバー１８の化粧壁面部１９の上端が外側へ外れることもない。
また、化粧壁面部１９は上下に湾曲した形状に形成されているため、ナット１７を締め付けてゆくと、化粧壁面部１９は外側へ向かってより湾曲してゆくこととなるため、カバー１８が凹部２内に嵌まり込んでしまうこともなく、化粧壁面部１９は便器１の側面と略面一状をなして良好に固定されるものである。
【００２７】
即ち、カバー１８の固定状態では、引っ掛け部２２が固定用上ボルト１０に係止状態となり、かつナット１７の締め付け力により底面部２０側から上方への押圧力が加わって強固な固定状態が得られるものである。しかも、凹部２は天井面２ａ側に向かって縮径状をなし、かつ奥面２ｃに向かって縮径状に形成されているため、ナット１７を締め付けてもカバー１８が極端に凹部２内に嵌まり込むことはなく、凹部２の内壁面に強固にカバー１８の外周が当接状態となり、より強固なカバー１８の固定状態が得られるものとなる。
【００２８】
なお、カバー１８が固定された状態では、凹部２はほぼ完全（下側はナット１７取り付けの空間を残している）に隠蔽されるものであり、凹部２内の固定用上ボルト１０および固定用下ボルト１３およびカバー用ボルト１５は全て隠蔽された状態となる。しかも、ナット１７は底面部２０の下面の最も見にくい位置に配置されるため、便器１が公共施設に設置されるものであっても悪戯でカバー１８が外されるようなことが無くなる。
なお、凹部２の前側傾斜面２ｅに沿ってカバー１８の上傾片１９ｂが上方へ移動し、強固にカバー１８の外周が凹部２の内周壁に当接状態とされるものであり、極めてすっきりとした状態で、かつ強固にカバー１８が固定されるものである。しかもナット１７の締め付け時に、開口２０ａを介してカバー１８の前後方向を良好に調整して便器１の寸法誤差を良好に吸収でき、すっきりとした状態でカバー１８を固定することができる。
【００２９】
なお、本例では、カバー１８の底面部２０の開口２０ａは誘導溝２０ｂを有し切り欠き形状であるが、誘導溝２０ｂを有さない開口２０ａのみとしても良い。
また、固定用上ボルト１０と固定用下ボルト１３は便器１の固定のため延長できれば良く、ボルト部１０ａ，１３ａはネジがなくても良い。
また、カバー用ボルト１５を下ボルト５に固定用下ボルト１３を介して固定しているが、直接下ボルト５に固定しても良い。
【００３０】
なお、本例では、便器１の側面に形成された凹部２にカバー１８を固定する構造を例示しているが、その他、小便器，洗面器あるいは流し等の側面に形成された凹部に取り付けるカバーにおいても同様な固定構造を採用して、良好にカバーの取付け位置を調整しながら衛生陶器の寸法誤差を吸収して、確実にカバーを衛生陶器に固定できるものとなる。
【図面の簡単な説明】
【００３１】
【図１】壁掛け式の便器を壁パネルに固定する前の部材の分解斜視構成図である。
【図２】壁パネルの裏側に設置される便器スタンドの斜視構成図である。
【図３】固定用上ボルトの構成図である。
【図４】固定用下ボルトの構成図である。
【図５】カバー用ボルトの構成図である。
【図６】ナットの平面図である。
【図７】カバーの斜視構成図である。
【図８】カバーの正面構成図である。
【図９】カバーの裏側透視図である。
【図１０】カバーの側面図である。
【図１１】カバーの底面部図である。
【図１２】便器の側面に形成した凹部内に配置されたボルトにゴムチューブを被せる状態図である。
【図１３】更にゴムチューブにカバー用ボルトを取り付ける説明図である。
【図１４】カバーを凹部に取り付ける作業説明図である。
【図１５】カバーを凹部に仮止めした状態図である。
【図１６】ナットを下方側からカバー用ボルトに螺合させる作業説明図である。
【図１７】ナットを下側から手で締め付ける作業説明図である。
【図１８】カバーの固定状態の便器の側面構成図である。
【図１９】図１８の凹部内の透視側面図である。
【図２０】便器の前面側からの凹部内の透視図である。
【符号の説明】
【００３２】
１  便器
１ａ  鉢部
１ｂ  背面部
１ｃ  上貫通孔
１ｄ  下貫通孔
２  凹部
２ａ  天井面
２ｂ  下傾斜面
２ｃ  奥面
２ｄ  背側垂直面
２ｅ  前側傾斜面
３  壁パネル
４  上ボルト
５  下ボルト
６  排水部材
１０  固定用上ボルト
１０ａ  ボルト部
１０ｂ  ナット部
１１  異形パッキン
１２  ワッシャー
１３  固定用下ボルト
１３ａ  ボルト部
１３ｂ  ナット部
１５  カバー用ボルト
１５ａ  ボルト部
１５ｂ  リング部
１７  ナット
１７ａ  雌ネジ孔
１７ｂ  突条
１８  カバー
１９  化粧壁面部
１９ａ  垂直片
１９ｂ  上傾片
２０  底面部
２０ａ  開口
２０ｂ  誘導溝
２１  天面部
２２  引っ掛け部
２５  仮止め用テープ
【図１】
2010007257.tif 000003
【図２】
2010007257.tif 000004
【図３】
2010007257.tif 000005
【図４】
2010007257.tif 000006
【図５】
2010007257.tif 000007
【図６】
2010007257.tif 000008
【図７】
2010007257.tif 000009
【図８】
2010007257.tif 000010
【図９】
2010007257.tif 000011
【図１０】
2010007257.tif 000012
【図１１】
2010007257.tif 000013
【図１２】
2010007257.tif 000014
【図１３】
2010007257.tif 000015
【図１４】
2010007257.tif 000016
【図１５】
2010007257.tif 000017
【図１６】
2010007257.tif 000018
【図１７】
2010007257.tif 000019
【図１８】
2010007257.tif 000020
【図１９】
2010007257.tif 000021
【図２０】
2010007257.tif 000022